(57)【要約】【課題】多方向からの衝撃に対する耐衝撃性を向上させることが可能な構造のヒンジ部を有するカバーを備えたレーザプリンタを提供する。【解決手段】このレーザプリンタは、カバー１０のフック部１１から所定の間隔を隔てた位置に設けられ、カバー１０を閉じた場合にカバー１０の主面板１９に実質的に直交する方向から本体フレーム２０の側板分岐部２４ｂに当接する第１の内面部１７ａと、カバー１０と実質的に平行な方向から本体フレーム２０の側板分岐部２４ｂに当接する第２の内面部１７ｂとを有するＬ字状の内面部を含む補強部材１７と、カバー１０に設けられた凸状部１８と、本体フレーム２０に設けられ、カバー１０が閉じた場合に凸状部１８に係合する凹状部２７とを備える。【選択図】図３
0003097705.tif 000002
【実用新案登録請求の範囲】
【請求項１】
コントロールユニットが取付けられた本体フレームと、前記コントロールユニットが調整可能なように、前記本体フレームの側部に開閉可能に設けられた主面を有するカバーとを備え、前記カバーは、前記カバーの奥側上部に前記カバーと一体的に設けられた第１ヒンジ部を構成するフック部と、前記カバーの奥側下部に前記カバーと一体的に設けられた第２ヒンジ部を構成するピンとを含み、前記本体フレームの側部は、前記本体フレームと一体的に形成され、前記カバーのフック部が回動可能に係合する前記第１ヒンジ部を構成するフック係合部と、前記本体フレームと一体的に形成され、前記カバーのピンが回動可能に係合する前記第２ヒンジ部を構成するピン係合部とを含むレーザプリンタにおいて、
前記カバーのフック部から所定の間隔を隔てた位置に、前記カバーと一体的に設けられ、前記カバーを閉じた場合に前記カバーの主面に実質的に直交する方向から前記本体フレームの前記フック係合部の近傍部分に当接する第１の内面部と、前記第１の内面部と実質的に直交するとともに、前記カバーを閉じた場合に前記カバーの主面に実質的に平行な方向から前記本体フレームの前記フック係合部の近傍部分に当接する第２の内面部とを有するＬ字状の内面部を含む補強部材と、
前記カバーのピンから所定の間隔を隔てた位置に、前記カバーと一体的に設けられ、前記本体フレーム側に突出する凸状部と、
前記カバーの凸状部に対応する前記本体フレームの部分に、前記本体フレームと一体的に設けられ、前記カバーを閉じた場合に前記凸状部に係合する凹状部とをさらに備えた、レーザプリンタ。
【請求項２】
本体フレームと、前記本体フレームの側部に開閉可能に設けられた主面を有するカバーとを備えた画像形成装置であって、
前記カバーは、
前記カバーに設けられたピンと、
前記カバーに設けられたフック部と、
前記フック部から所定の間隔を隔てた位置に、前記本体フレームの前記フック係合部の近傍部分に異なる２つの方向から当接するように設けられた補強部材とを含み、
前記本体フレームの側部は、
前記カバーのピンが回動可能に係合するピン係合部と、
前記カバーのフック部が回動可能に係合するフック係合部とを含む、画像形成装置。
【請求項３】
前記補強部材は、
前記カバーを閉じた場合に、前記カバーの主面に実質的に直交する方向から前記本体フレームの前記フック係合部の近傍部分に当接する第１の内面部と、前記第１の内面部と実質的に直交するとともに、前記カバーを閉じた場合に、前記カバーの主面に実質的に平行な方向から前記本体フレームの前記フック係合部の近傍部分に当接する第２の内面部とを有するＬ字状の内面部を含む、請求項２に記載の画像形成装置。
【請求項４】
前記Ｌ字状の内面部を含む補強部材は、前記フック部から所定の間隔を隔てた位置に前記カバーと一体的に設けられている、請求項３に記載の画像形成装置。
【請求項５】
前記カバーのピンから所定の間隔を隔てた位置に設けられ、前記本体フレーム側に突出する凸状部と、
前記カバーの凸状部に対応する前記本体フレームの部分に設けられ、前記カバーを閉じた場合に、前記凸状部に係合する凹状部とをさらに備えた、請求項２〜４のいずれか１項に記載の画像形成装置。
【請求項６】
前記凸状部は、前記カバーと一体的に設けられており、
前記凹状部は、前記本体フレームと一体的に設けられている、請求項５に記載の画像形成装置。
【考案の詳細な説明】
【０００１】
【考案の属する技術分野】
この考案は、レーザプリンタおよび画像形成装置に関し、特に、本体フレームに対して開閉可能に設けられたカバーを備えたレーザプリンタおよび画像形成装置に関する。
【０００２】
【従来の技術】
従来、カバーを備えた画像形成装置が知られている（たとえば、特許文献１、２および３参照）。上記特許文献１には、カバーの左右方向のがたつきを抑えるために、カバーを閉めたときにカバーを閉位置で固定保持するための保持部材にガイドを取付けたカバーの保持装置が開示されている。また、上記特許文献２には、ガイドに沿って上下動可能な扉を備え、かつ、この扉を上方の所定位置に保持する保持手段を備えた画像形成装置の筐体が開示されている。また、上記特許文献３には、画像形成装置の記録紙カバーの開閉機構において、装置本体と記録紙カバーとを繋ぐ開放ストッパを用いてカバー開度を調節し、シングルカセット用とマルチカセット用とで開放ストッパを共用することが可能なカバーが開示されている。また、従来、カバーを備えた画像形成装置の一例として、カバーを備えたレーザプリンタが知られている。
【０００３】
図１２は、従来の一例によるカバーを備えたレーザプリンタの全体構成を示した斜視図である。図１３は、図１２に示した従来のレーザプリンタのカバーと本体フレームとを示した斜視図である。図１４〜図１９は、図１３に示したヒンジ部の詳細を示した拡大斜視図である。
【０００４】
まず、図１２を参照して、従来のレーザプリンタ１００は、レーザープリンタ１００の側面に位置するメインテナンス用の樹脂製のカバー１１０と、このカバー１１０が開閉可能に取付けられる樹脂製の本体フレーム１２０と、本体フレーム内に配置されたコントロールユニット１５０とを備えている。カバー１１０は、図１３に示すように、第１ヒンジ部１３０および第２ヒンジ部１４０により、本体フレーム１２０に対して開閉可能に取付けられている。また、カバー１１０は、１つの第１固定部１１３ａと２つの第２固定部１１３ｂとを含んでいる。また、本体フレーム１２０は、第１固定部１１３ａに対応する位置に設けられた１つの第１固定部係合部１２３ａと、第２固定部１１３ｂに対応する位置に設けられた２つの第２固定部係合部１２３ｂとを含んでいる。そしてメインテナンス時には、カバー１１０を開けて、本体フレーム１２０に設置されたコントロールユニット１５０を操作できるようになっている。また、カバーを閉じる際には、カバー１１０の第１固定部１１３ａおよび第２固定部１１３ｂが、それぞれ、本体フレーム１２０の第１固定部係合部１２３ａおよび第２固定部係合部１２３ｂに脱着可能に係合することにより、カバー１１０が閉じた状態で固定される。
【０００５】
次に、図１３〜図１９を参照して、従来の第１ヒンジ部１３０および第２ヒンジ部１４０の詳細構造について説明する。
【０００６】
まず、図１３および図１４に示すように、カバー１１０の奥側上部の第１ヒンジ部１３０は、カバー１１０のフック部１１１に対して、本体フレーム１２０の円柱状のフック係合部１２１が回動可能に係合することにより構成されている。フック部１１１は、図１５に示すように、カバー１１０の側板１１４に一体的に設けられている。また、カバー１１０の側板１１４のフック係合部１２１が係合する部分には、凹部１１４ａが形成されている。凹部１１４ａのフック部１１１に対向する部分には、切り欠き部１１４ｂが設けられている。また、本体フレーム１２０の円柱状のフック係合部１２１は、図１６に示すように、本体フレーム１２０の側板１２４の支持部１２４ａおよび天板１２５の天板支持部１２５ａにより支持されるように、本体フレーム１２０と一体的に形成されている。また、本体フレーム１２０の側板１２４から分岐するとともに、天板１２５に接続するように、側板分岐部１２４ｂが設けられている。そして、その側板分岐部１２４ｂのカバー１１０のフック部１１１（図１５参照）に対応する部分には、方形状の切り欠き部１２４ｃが形成されている。
【０００７】
また、図１３および図１７〜図１９に示すように、カバー奥側下部の第２ヒンジ部１４０は、カバー１１０のピン１１２ａが、本体フレーム１２０のピン係合穴１２２ａに対して回動可能に係合することにより構成されている。また、図１８に示すように、ピン１１２ａは、カバー１１０のカバー底面板１１５から上方および本体フレーム１２０側に突出するように形成された突出部１１２の下面に一体的に形成されている。また、図１９に示すように、ピン係合穴１２２ａは、本体フレーム１２０の底面板１２６の端部に上方に突出するように形成された突出部１２２に設けられている。
【０００８】
上記した第１ヒンジ部１３０および第２ヒンジ部１４０により、本体フレーム１２０に対してカバー１１０が開閉可能に取付けられた従来のレーザプリンタでは、カバー１１０に過度の衝撃が加わった場合に、第１ヒンジ部１３０および第２ヒンジ部１４０にも過度の衝撃が加わる。この場合、第１ヒンジ部１３０のフック部１１１および第２ヒンジ部１４０のピン１１２ａが変形または破損するという不都合があった。その結果、カバー１１０を開閉するのが困難になるという不都合があった。また、上記した特許文献１〜３についても、カバーに衝撃が加わった場合の対策がなされていないため、同様の不都合があると考えられる。
【０００９】
そこで、従来、補強部材を設けることにより強度向上を図った画像形成装置が種々提案されている（たとえば特許文献４、５、および６参照）。
【００１０】
上記特許文献４には、製品の運搬・輸送時に、スキャナ部（画像読取装置）とプリンタ部（作像部）との間に、突起部を有する支持部材を嵌め込むとともに、装置使用時には、支持部材を取り外す構造が開示されている。この支持部材は、製品の運搬・輸送時におけるスキャナ部および本体構造体の変形を防止する補強部材として機能する。
【００１１】
また、上記特許文献５には、第１のカバー部材の端縁部に、第２のカバー部材の端縁部に対向する凹溝を有するほぼコの字形横断面の第１の係合部を形成し、第２のカバー部材の端縁部に、第１の係合部の凹溝に係合するほぼＬ字型の第２の係合部を形成したことを特徴とするカバーを備えた画像形成装置が開示されている。この特許文献５に開示された構造では、外装カバー部材の合わせ部に外から大きな力が加えられた場合にも、両カバー部材間に大きな隙間ができることが抑制される。
【００１２】
また、上記特許文献６には、ヒンジ部の強度を向上させるためにカバーの基端部に補強リブを設けることによって補強リブがカバーの荷重力を支え、これによりヒンジ部への荷重の集中をなくす構造を有する画像形成装置が開示されている。
【００１３】
【特許文献１】
実開平２−１４７５６９号公報
【特許文献２】
特開平４−３４０９７６号公報
【特許文献３】
実開平５−６４８５６号公報
【特許文献４】
特開２００１−１６０８号公報
【特許文献５】
実開平４−１０９７６４号公報
【特許文献６】
特開平１１−１９２７６７号公報
【００１４】
【考案が解決しようとする課題】
上記特許文献４に開示された構造では、装置使用時には、支持部材が取り外されるので、装置使用時の衝撃対策がなされていないという問題点がある。また、支持部材を脱着可能に取付ける必要があるため、支持部材が別体であり、その結果、部品点数が増加するという問題点もある。さらに、この構造を開閉可能なカバーのヒンジ部にそのまま適用するのは困難であるという問題点もある。
【００１５】
また、上記特許文献５では、第１のカバー部材および第２のカバー部材はねじ止めされることによって本体に取付けられた構造であるため、この構造をそのままヒンジ部の補強構造に適用するのは困難である。
【００１６】
また、上記特許文献６に開示された構造では、補強リブは、一つの面に当接する方向でしか強度を向上させることができないという問題点がある。
【００１７】
この考案は、上記のような課題を解決するためになされたものであり、この考案の１つの目的は、多方向からの衝撃に対する耐衝撃性を向上させることが可能な構造のヒンジ部を有するカバーを備えたレーザプリンタおよび画像形成装置を提供することである。
【００１８】
この考案のもう１つの目的は、上記のレーザプリンタおよび画像形成装置において、部品点数を増加させることなく、耐衝撃性を向上させることである。
【００１９】
【課題を解決するための手段および考案の効果】
上記目的を達成するために、この考案の第１の局面によるレーザプリンタは、コントロールユニットが取付けられた本体フレームと、コントロールユニットが調整可能なように、本体フレームの側部に開閉可能に設けられた主面を有するカバーとを備え、カバーは、カバーの奥側上部にカバーと一体的に設けられた第１ヒンジ部を構成するフック部と、カバーの奥側下部にカバーと一体的に設けられた第２ヒンジ部を構成するピンとを含み、本体フレームの側部は、本体フレームと一体的に形成され、カバーのフック部が回動可能に係合する第１ヒンジ部を構成するフック係合部と、本体フレームと一体的に形成され、カバーのピンが回動可能に係合する第２ヒンジ部を構成するピン係合部とを含むレーザプリンタにおいて、カバーのフック部から所定の間隔を隔てた位置にカバーと一体的に設けられ、カバーを閉じた場合にカバーの主面に実質的に直交する方向から本体フレームのフック係合部の近傍部分に当接する第１の内面部と、第１の内面部と実質的に直交するとともに、カバーを閉じた場合にカバーの主面に実質的に平行な方向から本体フレームのフック係合部の近傍部分に当接する第２の内面部とを有するＬ字状の内面部を含む補強部材と、カバーのピンから所定の間隔を隔てた位置に、カバーと一体的に設けられ、本体フレーム側に突出する凸状部と、カバーの凸状部に対応する本体フレームの部分に、本体フレームと一体的に設けられ、カバーを閉じた場合に凸状部に係合する凹状部とをさらに備える。
【００２０】
この考案の第１の局面によるレーザプリンタでは、上記のように、カバーのフック部から所定の間隔を隔てた位置に、カバーを閉じた場合に本体フレームのフック係合部の近傍部分に当接する補強部材を設けることによって、レーザプリンタの持ち運びの際などに外部からカバーへ衝撃が加わった場合に、本体フレームに当接する補強部材により衝撃が受け止められるので、フック部に過度の衝撃が加わるのを抑制することができる。これにより、過度の衝撃に起因するフック部の変形および破損を抑制することができる。また、補強部材を、カバーの主面に実質的に直交する方向から本体フレームのフック係合部の近傍部分に当接する第１の内面部と、第１の内面部と実質的に直交するとともに、カバーを閉じた場合にカバーの主面に実質的に平行な方向から本体フレームのフック係合部の近傍部分に当接する第２の内面部とを有するＬ字状の内面部を含むように設けることによって、カバーの主面に対して直交する方向から力が加わった場合には第１の内面部により衝撃が受け止められるとともに、カバーの主面に対して平行な方向から力が加わった場合には第２の内面部により衝撃が受け止められる。これにより、カバーに多方向から過度の衝撃が加わった場合にも、フック部に過度の衝撃が加わるのを抑制することができるので、多方向からの過度の衝撃に起因するフック部の変形および破損を抑制することができる。また、補強部材を、カバーと一体的に設けることによって、部品点数を増加させることなく、カバーへの衝撃に起因するフック部の変形および破損を抑制することができる。これにより、コストを増加させることなく、レーザプリンタの耐衝撃性を向上させることができる。
【００２１】
また、第１の局面では、カバーのピンから所定の間隔を隔てた位置に、本体フレーム側に突出する凸状部と、カバーの凸状部に対応する本体フレームの部分に、カバーを閉じた場合に凸状部に係合する凹状部とを設けることによって、凸状部と凹状部とが係合する方向に対して直交する方向の衝撃がカバーに加わった場合に、凸状部と凹状部との係合部分によりその衝撃が受け止められるので、ピンに過度の力が加わるのを抑制することができる。これにより、耐衝撃性を向上させることができるので、衝撃に起因するピンの変形および破損を抑制することができる。また、凸状部をカバーと一体的に設けるとともに、凹状部を本体フレームと一体的に設けることによって、部品点数を増加させることなく、カバーへの衝撃に起因するピンの変形および破損を抑制することができる。　これにより、コストを増加させることなく、レーザプリンタの耐衝撃性を向上させることができる。
【００２２】
この考案の第２の局面による画像形成装置では、本体フレームと、本体フレームの側部に開閉可能に設けられた主面を有するカバーとを備えた画像形成装置であって、カバーは、カバーに設けられたピンと、カバーに設けられたフック部と、フック部から所定の間隔を隔てた位置に本体フレームのフック係合部の近傍部分に異なる２つの方向から当接するように設けられた補強部材とを含み、本体フレームの側部は、カバーのピンが回動可能に係合するピン係合部と、カバーのフック部が回動可能に係合するフック係合部とを含む。
【００２３】
この考案の第２の局面による画像形成装置では、上記のように、カバーのフック部から所定の間隔を隔てた位置に、本体フレームのフック係合部の近傍部分に異なる２つの方向から当接するように設けられた補強部材を含むように構成することによって、画像形成装置の持ち運びの際などに外部の異なる２方向からカバーへ衝撃が加わった場合に、本体フレームに当接する補強部材によりその異なる２方向からの衝撃が受け止められるので、フック部に過度の衝撃が加わるのを抑制することができる。これにより、多方向からの過度の衝撃に起因するフック部の変形および破損を抑制することができる。
【００２４】
上記の第２の局面による画像形成装置において、好ましくは、補強部材は、カバーを閉じた場合に、カバーの主面に実質的に直交する方向から本体フレームのフック係合部の近傍部分に当接する第１の内面部と、第１の内面部と実質的に直交するとともに、カバーを閉じた場合に、カバーの主面に実質的に平行な方向から本体フレームのフック係合部の近傍部分に当接する第２の内面部とを有するＬ字状の内面部を含む。このように構成すれば、カバーの主面に対して直交する方向および平行な方向の多方向から過度の衝撃が加わった場合にも、フック部に過度の衝撃が加わるのを抑制することができるので、フック部の強度を向上させることができる。その結果、容易に、多方向からの過度の衝撃に起因するフック部の変形および破損を抑制することができる。
【００２５】
上記の第２の局面による画像形成装置において、好ましくは、Ｌ字状の内面部を含む補強部材は、フック部から所定の間隔を隔てた位置にカバーと一体的に設けられている。このように構成すれば、補強部材を設けたとしても部品点数が増加することがないので、コストを増加させることなく、画像形成装置の耐衝撃性を向上させることができる。
【００２６】
上記の第２の局面による画像形成装置において、好ましくは、カバーのピンから所定の間隔を隔てた位置に設けられ、本体フレーム側に突出する凸状部と、カバーの凸状部に対応する本体フレームの部分に設けられ、カバーを閉じた場合に、凸状部に係合する凹状部とをさらに備える。このように構成すれば、耐衝撃性を向上させることができるので、衝撃に起因するピンの変形および破損を抑制することができる。
【００２７】
上記の第２の局面による画像形成装置において、好ましくは、凸状部は、カバーと一体的に設けられており、凹状部は、本体フレームと一体的に設けられている。このように構成すれば、凸状部および凹状部を設けたとしても部品点数が増加することがないので、コストを増加させることなく画像形成装置の耐衝撃性を向上させることができる。
【００２８】
【考案の実施の形態】
以下、本考案の実施の形態を図面に基づいて説明する。
【００２９】
図１は、本考案の一実施形態によるレーザプリンタのカバーと本体フレームとを示した斜視図である。図２〜図７は、図１に示したヒンジ部の詳細を示した拡大斜視図である。
【００３０】
まず、図１を参照して、本考案の一実施形態によるレーザプリンタの樹脂製のカバー１０は、第１ヒンジ部３０および第２ヒンジ部４０により、樹脂製の本体フレーム２０に対して開閉可能に取付けられている。また、カバー１０は、１つの第１固定部１３ａと２つの第２固定部１３ｂとを含んでいる。また、本体フレーム２０は、第１固定部１３ａに対応する位置に設けられた１つの第１固定部係合部２３ａと、２つの第２固定部１３ｂに対応する位置に設けられた第２固定部係合部２３ｂとを含んでいる。そして、メインテナンス時には、カバー１０を開けて、本体フレーム２０に設置されたコントロールユニット１５０を操作できるようになっている。また、カバーを閉じる際には、カバー１０の第１固定部１３ａおよび第２固定部１３ｂが、それぞれ、本体フレーム２０の第１固定部係合部２３ａおよび第２固定部係合部２３ｂに脱着可能に係合することにより、カバー１０が閉じた状態で固定される。
【００３１】
次に、図１〜図７を参照して、本考案の一実施形態による第１ヒンジ部３０および第２ヒンジ部４０の詳細構造について説明する。
【００３２】
まず、図１および図２に示すように、カバー１０の奥側上部の第１ヒンジ部３０は、カバー１０のフック部１１に対して、本体フレーム２０の円柱状のフック係合部２１が回動可能に係合することにより構成されている。フック部１１は、図３に示すように、カバー１０の側板１４に一体的に設けられている。そして、フック部１１の背面には、カバー１０の主面板１９から延びたフック部補強リブ１６が設けられている。また、カバー１０の側板１４のフック係合部２１（図２参照）が係合する部分には、凹部１４ａが形成されている。凹部１４ａのフック部１１に対向する部分には、切り欠き部１４ｂが設けられている。
【００３３】
ここで、本実施形態では、フック部１１からカバー１０の底面側に所定の間隔を隔てた位置には、Ｌ字形状の補強部材１７が設けられている。この補強部材１７は、カバー１０と一体的に設けられているとともに、第１の内面部１７ａおよび第２の内面部１７ｂを有する。第１の内面部１７ａは、カバー１０を閉じた場合にカバー１０の主面板１９に実質的に直交する方向から本体フレーム２０の後述する側板分岐部２４ｂに当接するように設けられている。第２の内面部１７ｂは、第１の内面部１７ａに実質的に直交するとともに、カバー１０を閉じた場合に本体フレーム２０の手前側からカバー１０の主面板１９に実質的に平行な方向から本体フレーム２０の側板分岐部２４ｂに当接するように設けられている。
【００３４】
また、本体フレーム２０の円柱状のフック係合部２１は、図４に示すように、本体フレーム２０の側板２４の支持部２４ａおよび天板２５の天板支持部２５ａにより支持されるように、本体フレーム２０と一体的に形成されている。また、本体フレーム２０の側板２４から分岐するとともに、天板２５に接続するように、側板分岐部２４ｂが設けられている。そして、その側板分岐部２４ｂのカバー１０のフック部１１に対応する部分には、方形状の切り欠き部２４ｃが形成されている。
【００３５】
また、図１および図５〜図７に示すように、カバー奥側下部の第２ヒンジ部４０は、カバー１０のピン１２ａが、本体フレーム２０のピン係合穴２２ａに対して回動可能に係合することにより構成されている。また、図６に示すように、ピン１２ａは、カバー１０のカバー底面板１５から上方および本体フレーム２０側に突出するように形成された突出部１２の下面に一体的に形成されている。また、図７に示すように、ピン係合穴２２ａは、本体フレーム２０の底面板２６の端部に上方に突出するように形成された突出部２２に設けられている。
【００３６】
ここで、本実施形態では、図６に示すように、カバー１０のカバー底面板１５に形成された突出部１２から所定の間隔を隔てた位置に、カバー１０から本体フレーム２０に向かう方向に突出した凸状部１８が形成されている。また、この凸状部１８が形成された位置に対応する本体フレーム２０の底面板２６の側部には、図７に示すように、凹状部２７が形成されている。そして、カバー１０を閉じた場合に、凸状部１８と凹状部２７とが係合するようになっている。
【００３７】
図８および図９は、カバー開閉時の第１ヒンジ部の状態を説明するための断面図であり、図１０および図１１は、カバー開閉時の第２ヒンジ部の状態を説明するための断面図である。次に、図８〜図１１を参照して、本考案の一実施形態によるレーザプリンタのカバー１０の開閉時の第１ヒンジ部３０および第２ヒンジ部４０の状態について説明する。
【００３８】
まず、図８および図９を参照して、カバー１０の開閉時の第１ヒンジ部３０の状態について説明する。図８に示すように、カバー１０が開いた状態では、フック部１１の先端部１１ａは、本体フレーム２０の側板分岐部２４ｂの面方向と交差する。この場合、方形状の切り欠き部２４ｃが設けられているため、フック部１１の先端部１１ａは、本体フレーム２０とは干渉しない。そして、カバー１０の開閉を行うときは、フック部１１は、円柱状のフック係合部２１の中心を支点として、回動する。また、図８に示すように、カバー１０が開いた状態では、補強部材１７の第１の内面部１７ａおよび第２の内面部１７ｂはどの部分にも当接していない。
【００３９】
そして、図９に示すように、カバー１０が閉じた状態になったとき、補強部材１７のＬ字状の内面部は、本体フレーム２０に当接する。すなわち、補強部材１７の第１の内面部１７ａは、カバー１０の主面板１９に実質的に直交する方向から本体フレーム２０の側板分岐部２４ｂに当接する。また、第２の内面部１７ｂは、本体フレーム２０の手前側からカバー１０の主面板１９と実質的に平行な方向から本体フレーム２０の側板分岐部２４ｂに当接する。
【００４０】
次に、図１０および図１１を参照して、カバー１０の開閉時の第２ヒンジ部４０の状態について説明する。図１０に示すように、カバー１０が９０度近く開いた状態では、カバー１０のカバー底面板１５の側面に形成された凸状部１８と、本体フレーム２０の底面板２６の側面に形成された凹状部２７とは係合していない。カバー１０が閉じる方向に動くと、凸状部１８は、図１０の矢印の方向に動く。そして、図１１に示すように、カバー１０が閉じた状態になったときに、凸状部１８と凹状部２７とが係合する。
【００４１】
次に、図９および図１１を参照して、本実施形態の第１ヒンジ部３０および第２ヒンジ部４０に外部から衝撃が加わった場合の耐衝撃機能について説明する。まず、図９を参照して、本実施形態の第１ヒンジ部３０では、カバー１０を閉じた状態でＡ方向（カバー１０の主面板１９に平行な方向）に衝撃が加わった場合、その衝撃は、本体フレーム２０の側板分岐部２４ｂに当接している補強部材１７の第２の内面部１７ｂにより受け止められる。これにより、フック部１１にＡ方向の過度の衝撃が加わるのを抑制することができるので、Ａ方向の過度の衝撃に起因するフック部１１の変形および破損を抑制することができる。また、Ｃ方向に衝撃が加わった場合、その衝撃は、本体フレーム２０の側板分岐部２４ｂに当接している補強部材１７の第１の内面部１７ａにより受け止められる。これにより、フック部１１にＣ方向の過度の衝撃が加わるのを抑制することができるので、Ｃ方向の過度の衝撃に起因するフック部１１の変形および破損を抑制することができる。すなわち、第１の内面部１７ａおよび第２の内面部１７ｂを有するＬ字状に補強部材１７を形成することによって、多方向から過度の衝撃が加わった場合にも、フック部１１に過度の衝撃が加わるのを抑制することができるので、多方向からの過度の衝撃に起因するフック部１１の変形および破損を抑制することができる。
【００４２】
また、図１１を参照して、本実施形態の第２ヒンジ部４０では、カバー１０を閉じた状態でＡ方向およびＢ方向に衝撃が加わった場合、その衝撃は、カバー１０に形成された凸状部１８と本体フレーム２０に形成された凹状部２７との係合部分により受け止められるので、ピン１２ａに過度の力が加わるのを抑制することができる。これにより、耐衝撃性を向上させることができるので、衝撃に起因するピン１２ａの変形および破損を抑制することができる。
【００４３】
また、本実施形態では、上記のように、補強部材１７および凸状部１８をカバー１０と一体的に形成することにより、補強部材１７および凸状部１８設けた場合にも、部品点数が増加することがない。また、凹状部２７を本体フレーム２０と一体的に形成することによって、凹状部２７を設けた場合にも、部品点数が増加することがない。これらにより、部品点数を増加させることなく、レーザプリンタの耐衝撃性を向上させることができる。
【００４４】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００４５】
たとえば、上記実施形態では、Ｌ字状の内面部を含む補強部材１７は、フック部１１からカバー１０の底面側に所定の間隔を隔てた位置に１つのみ設けたが、本考案はこれに限らず、Ｌ字状の内面部を含む補強部材１７を、フック部１１からカバー１０の上面側に所定の間隔を隔てた位置に設けてもよいし、複数設けるようにしてもよい。
【００４６】
また、上記実施形態では、補強部材１７の第１の内面部１７ａおよび第２の内面部１７ｂを、それぞれ、カバー１０の主面板１９に実質的に平行な方向（図９のＡ方向）および直交する方向（図９のＣ方向）に形成することによって、補強部材１７の第１の内面部１７ａおよび第２の内面部１７ｂを、それぞれ、図９のＣ方向およびＡ方向から本体フレーム２０の側板分岐部２４ｂに当接するようにしたが、本考案はこれに限らず、第１の内面部１７ａおよび第２の内面部１７ｂを、図９のＡ方向およびＣ方向以外の方向に形成するとともに、本体フレーム２０の側板分岐部２４ｂを対応した形状に形成することによって、図９のＣ方向およびＡ方向以外の方向から第１の内面部１７ａおよび第２の内面部１７ｂが本体フレーム２０の側板分岐部２４ｂに当接するようにしてもよい。このようにすれば、第１の内面部１７ａおよび第２の内面部１７ｂと本体フレーム２０の側板分岐部２４ｂとが当接する面の方向に直交する２方向の衝撃を第１の内面部１７ａおよび第２の内面部１７ｂと本体フレーム２０の側板分岐部２４ｂとの当接面により受け止めることができる。これにより、その当接面で受け止める２方向の衝撃に対する耐衝撃性を向上させることができる。
【図面の簡単な説明】
【図１】本考案の一実施形態によるレーザプリンタのカバーと本体フレームとを示した斜視図である。
【図２】本考案の一実施形態によるレーザプリンタのカバーの奥側上部に設けられた第１ヒンジ部の拡大斜視図である。
【図３】図２に示した本考案の一実施形態によるレーザプリンタの第１ヒンジ部のカバー側を示した斜視図である。
【図４】図２に示した本考案の一実施形態によるレーザプリンタの第１ヒンジ部の本体フレーム側を示した斜視図である。
【図５】本考案の一実施形態によるレーザプリンタのカバーの奥側下部に設けられた第２ヒンジ部の拡大斜視図である。
【図６】図５に示した本考案の一実施形態によるレーザプリンタの第２ヒンジ部のカバー側を示した斜視図である。
【図７】図５に示した本考案の一実施形態によるレーザプリンタの第２ヒンジ部の本体フレーム側を示した斜視図である。
【図８】図２の２００−２００線に沿ったカバーが開いた状態を示した断面図である。
【図９】図２の２００−２００線に沿ったカバーが閉じた状態を示した断面図である。
【図１０】図５の３００−３００線に沿ったカバーが開いた状態を示した断面図である。
【図１１】図５の３００−３００線に沿ったカバーが閉じた状態を示した断面図である。
【図１２】従来のカバーを備えたレーザプリンタの斜視図である。
【図１３】図１２に示した従来のレーザプリンタのカバーと本体フレームとを示した斜視図である。
【図１４】従来のレーザプリンタのカバーの奥側上部に設けられた第１ヒンジ部の拡大斜視図である。
【図１５】図１４に示した従来のレーザプリンタの第１ヒンジ部のカバー側を示した斜視図である。
【図１６】図１４に示した従来のレーザプリンタの第１ヒンジ部の本体フレーム側を示した斜視図である。
【図１７】従来のレーザプリンタのカバーの奥側下部に設けられた第２ヒンジ部の拡大斜視図である。
【図１８】図１７に示した従来のレーザプリンタの第２ヒンジ部のカバー側を示した斜視図である。
【図１９】図１７に示した従来のレーザプリンタの第２ヒンジ部のフレーム側を示した斜視図である。
【符号の説明】
１０　カバー
１１　フック部
１２ａ　ピン
１７　補強部材
１７ａ　第１の内面部
１７ｂ　第２の内面部
１８　凸状部
２７　凹状部
２０　本体フレーム
２１　フック係合部
２２ａ　ピン係合穴
２４ｂ　側板分岐部
【図１】
0003097705.tif 000003
【図２】
0003097705.tif 000004
【図３】
0003097705.tif 000005
【図４】
0003097705.tif 000006
【図５】
0003097705.tif 000007
【図６】
0003097705.tif 000008
【図７】
0003097705.tif 000009
【図８】
0003097705.tif 000010
【図９】
0003097705.tif 000011
【図１０】
0003097705.tif 000012
【図１１】
0003097705.tif 000013
【図１２】
0003097705.tif 000014
【図１３】
0003097705.tif 000015
【図１４】
0003097705.tif 000016
【図１５】
0003097705.tif 000017
【図１６】
0003097705.tif 000018
【図１７】
0003097705.tif 000019
【図１８】
0003097705.tif 000020
【図１９】
0003097705.tif 000021